(57)【要約】【課題】  空調機を取り付けたり、修理や取り替えたりする作業を行い易い建物および建物ユニットを提供することである。【解決手段】  着脱自在な蓋７を有する開口部６を床２６に設け、この開口部６の下方に空調機４や空調機支持部材５を設けた建物と、この空調機４や空調機支持部材５を下端より突出しない状態に設けた建物ユニットである。【選択図】          図２
2005336736.tif 000002
【特許請求の範囲】
【請求項１】
着脱自在な蓋または開閉自在な蓋を有する開口部が床に設けられ、この開口部の下方に空調機または空調機支持部材が設けられていることを特徴とする建物。
【請求項２】
前記開口部が点検用開口部または床下収納用開口部の部品を利用して構成されたものであることを特徴とする請求項１に記載の建物。
【請求項３】
前記開口部に取り付けられた蓋には、複数の幅５ｃｍ以下のスリット状または直径５ｃｍ以下の丸状の通孔が設けられ、この通孔が空気流出口または空気流入口になされていることを特徴とする請求項１または請求項２に記載の建物。
【請求項４】
請求項１〜３に記載の建物を構成するための建物ユニットであって、上記空調機または空調機支持部材が下端より突出しない状態に設けられていることを特徴とする建物ユニット。
【発明の詳細な説明】
【技術分野】
【０００１】
本発明は、床下に空調機または空調機支持部材を取り付けた建物及びこの建物の一種であるユニット建物を構成する建物ユニットに関する。
【背景技術】
【０００２】
従来、部屋の内部に空調機を設置し、この空調機を稼働させて、部屋の内部の空気の温度や湿度等を調節して、居住性をよくすることが行われていたが、部屋の内部に空調機を設置すると、空調機が見えて醜いし、部屋の体積がそれだけ狭くなるので、最近では、空調機を天井裏に設けることが多くなっている。
一方、ユニット建物は、運搬可能な一定の大きさの箱形の、且つ、内部、外部の仕上げられた建物ユニットを、予め、工場で製造し、この建物ユニットを施工現場に運搬し、施工現場で組み立てて建物となすものであって、現場施工期間が短く、且つ、寸法精度のよい標準化された建物となる特徴があることから、多く建てられている。
【０００３】
このユニット建物においても、部屋から空調機が見えないように、空調機を天井裏や床下に設けることが行われている。
そして、このユニット建物では、多くの場合、現場施工工数を減らすために、工場等でユニット建物を構成する建物ユニットに空調機を設置して、施工現場では、この建物ユニットを据え付けるだけにすることが多い。
【０００４】
例えば、特許文献１には、天井裏に空調機を設置する建物ユニットについて記載されている。
また、特許文献２には、床下に空調機の室外機を設置し、天井裏に空調機の室内機を設置した建物ユニットが記載されている。
また、特許文献３には、床下に空調機を内蔵した建物ユニットが記載されている。
【０００５】
【特許文献１】実開平４−７４２２３号公報
【特許文献２】実開平６−５９７２９号公報
【特許文献３】特開２００３−５６０６８号公報
【発明の開示】
【発明が解決しようとする課題】
【０００６】
しかしながら、天井裏に空調機を設置すると、空調機を稼働させたときに、空調機の発する騒音や熱が天井を通して伝わり居住性が悪くなる。
かかる問題を解決するために、特許文献１に記載されている建物ユニットでは、断熱遮音性のよい箱状の収納部材の中に空調機を入れているが、このようにすると、この断熱遮音性のよい収納部材を必要とし、高価になるという問題がある。
【０００７】
更に、ユニット建物では、上記特許文献１や特許文献２に記載されている建物ユニットのように、天井裏に空調機や空調機の室内機を設置すると、次に示す問題がある。
即ち、建物ユニットは工場で製造し、施工現場に運搬するために、建物ユニットの高さを一定以上に高くすることができないが、部屋を高くして居住性をよくしたいという要望が多く、この両方の条件を満たすために、ユニット建物では、天井をできるだけ高くし、床をできるだけ低くしている。その結果、建物ユニットの上に上階の建物ユニットを据え付けたユニット建物では、下階の天井と上階の床との間の距離、即ち、天井裏の高さが小さくなっている。
【０００８】
このように、ユニット建物では、この下階の天井と上階の床との間にある天井裏の高さが小さく、天井裏が狭くなっていて、ここに大きな空調機を設置し難いし、設置しても、空調機が故障したとき等に、この狭い場所で修理したり、取り替えたりすることが困難である。
なお、特許文献２に記載されている建物ユニットでは、室内機のみを天井裏に設けているので、特許文献１に記載されている建物ユニットより空調機を狭い天井裏に設け易くなっているが、これでも尚、この狭い天井裏に設けるには室内機が大きく、設け難いし、修理したり取り替えたりし難い。
【０００９】
特許文献３に記載されている建物ユニットでは、工場で、建物ユニットの床下に空調機を取り付けているので、施工現場で空調機を取り付ける必要がなく、極めて好ましいが、建物ユニットを据え付けた後に、配線等の仕上げ作業を狭くて暗い床下で行う必要があり、作業し難いし、故障したときに、修理したり取り替える作業を狭くて暗い床下で行う必要があり、作業し難いいう問題がある。
なお、特許文献２に記載されている建物ユニットでは、室内機を建物ユニットの床下に、また、室外機を天井裏に、それぞれ工場で取り付けているので、上記のような問題は少ないが、室外機を天井裏に取り付けているために、既に説明したような問題がある。
【００１０】
かかる問題はユニット建物だけにかぎらず、その他の建物でも、程度の差はあっても、天井裏や床下は狭くて暗いので、同じような問題が存在する。
そこで、本発明は、空調機を取り付けたり、修理や取り替えたりする作業を行い易い建物と、この建物の一種であるユニット建物を構成する建物ユニットを提供することである。
【課題を解決するための手段】
【００１１】
本発明は上記目的を達成するためになされたものであって、請求項１に記載の発明は、着脱自在な蓋または開閉自在な蓋を有する開口部が床に設けられ、この開口部の下方に空調機または空調機支持部材が設けられていることを特徴とする建物である。
【００１２】
この請求項１に記載されている開口部とは、新しく製造した部品を取り付けて形成してもよいし、既に存在する部材を取り付けたて形成してもよい。そして、建物では、床下点検用開口部や床下収納用開口部を設けることが多く、かかる部品が既にあるので、請求項２に記載あるように、この床下点検用開口部や床下収納用開口部の部品を開口部に利用するとよい。このように床下点検用開口部や床下収納用開口部の部品を利用すると、新規の設計が不要となり、設計コストが少なくなり、その結果、安価に建物をたてたり、建物ユニトを製造できるので、好ましい。
【００１３】
この開口部には、着脱自在な蓋または開閉自在な蓋があるが、これは、取り付けたり取り外しが簡単にできる蓋、または、蓋が軸着されていて、蓋を回動させて開閉したり、レールが設けられていて、スライドさせて開閉できる蓋のように、簡単に開閉できる蓋を意味している。
【００１４】
また、この請求項１に記載されている空調機とは、空調機の室内機と室外機とが別になっていて、室内機を床下に取り付け、室外機を屋外に設けてもよいし、室内機と室外機の両方を別々に設けるようにしてもよいし、室内機と室外機が一体になった空調機であってもよい。
しかし、この建物に設ける空調機としては、室内機だけ取り付けて、室外機を屋外に設ける方が空調機の室外機から発生する騒音や熱が少なく好ましい。
なお、建物ユニットの場合には、室内機を工場で取り付けた建物ユニットを施工現場で据え付けた後に、この室内機の近くの屋外等に室外機を取り付け、この室外機と室内機とを熱媒体管等で接続するようにすればよい。
【００１５】
また、空調機支持部材とは、空調機を取り付けることができるものであればいかなるものでもよい。例えば、この空調機を取り付けるためのＺ字形の金具や、両側に取付片を有するコ字形の棚等を挙げることができる。
この空調機または空調機支持部材に取り付けられる空調機の取付構造としては、空調機からの空調された空気を部屋の中に出るようにしてもよいし、床下に出るようにしてもよい。
【００１６】
更に詳細に説明すると、請求項３に記載されている発明のように、開口部の蓋に通孔を設け、この通孔を空気流入口と空気流出口にし、空気流出口から出た部屋の空気を空調機に入れ、この空気を空調し、この空調された空気を空気流入口より部屋に入れて部屋の空気を調節するようにしてもよい。
【００１７】
また、蓋に開口部を設けずに、床、壁、天井等に空気流入口や空気流出口を設け、この空気流入口や空気流出口と空調機とをダクトで連結して、空気流出口から出た部屋の空気を空調機に入れて空調し、この空調された空気を空気流入口より部屋に入れるようにして部屋の空気を調節するようにしてもよい。また、この建物の床下を密閉して、床下と床、壁、天井等に設けた空気流入口とを連結して、空調機で空調した空気を床下に出し、この床下から外壁と内壁との間を経て、空気流入口より部屋に入れるというように、この床下をダクトに利用してもよい。
【００１８】
また、開口部に空気流入口と空気流出口のどちらか一方だけ設け、空気流出口や空気流入口は別の場所、例えば、床や壁や天井等に設けてもよい。
この際、部屋の壁や天井等に設けられている換気口を空気流入口や空気流出口に利用するようにしてもよい。
【００１９】
更に、基礎等の内側に断熱材を取り付けて、床下を略密閉した断熱性の良好な空間として、この床下を空調機で空調して、間接的に部屋を空調する床下冷暖房にしてもよい。このように床下冷暖房にすると、安価な深夜電力を使用するようにすることができる。この際、床下に蓄熱材を設けておくと、熱を多量に蓄熱することができ好ましい。
この空調機や空調機支持部材を設ける手段としては適宜でよい。例えば、蓋に、直接、設けてもよいし、蓋近傍にある床梁、床小梁、床根太等に、空調機や空調機支持部材を設けてもよい。
【００２０】
請求項２に記載の発明は、請求項１記載の発明に係り、前記開口部が床下点検用開口部または床下収納用開口部の部品を利用して構成されたものである。
【００２１】
請求項３に記載の発明は、請求項１または請求項２に記載された発明に係り、前記開口部に取り付けられた蓋には、複数の幅５ｃｍ以下のスリット状または直径５ｃｍ以下の丸孔状の通孔が設けられ、この通孔が空気流出口または空気流入口になされているものである。
【００２２】
この請求項３に記載の発明に記載されている発明では複数の幅５ｃｍ以下のスリット状または直径５ｃｍ以下の丸状の通孔が設けられているが、これは、幅や直径が５ｃｍ以上であると、この蓋の上を歩いているときに、この通孔の中に足の指等が入ることがあり危険であるからである。従って、この通孔に網等を設けておくと、更に足の指等が入り難く安全になるし、この通孔から虫等が入らなくなるので、好ましい。
【００２３】
そして、この請求項３記載の発明では、複数の幅５ｃｍ以下のスリット状の通孔が設けられているが、これは、蓋に複数個のスリット状の幅５ｃｍ板の通孔を設けてもよいし、蓋に大きな通孔を設け、この通孔の中に複数の斜めになった複数の長尺板を間隔を５ｃｍ以下にして設けた、通常、がらりと称するものであってもよい。
【００２４】
請求項４に記載されている発明は、請求項１〜３記載の建物を構成するための建物ユニットであって、上記空調機または空調機支持部材が下端より突出しない状態に設けられている建物ユニットを特徴とする。
【００２５】
この請求項４に記載の発明では、この空調機や空調機支持部材は建物ユニットの下端から突出しない状態に設けられている。
この理由は、この空調機や空調機支持部材が建物ユニットの下端から突出していると、建物ユニットを工場から施工現場まで運搬する際に、この空調機や空調機支持部材が邪魔になるからである。
このように下端から突出しないようにする手段としては、室内機と室外機が一緒になっている空調機が小さくて、建物ユニットの下端から突出しない場合には、この空調機を建物ユニットに取り付ければよい。また、空調機が大きく下端から突出する場合には、比較的小さい室内機のみを建物ユニットに取り付けるようにすればよい。
【００２６】
また、空調機支持部材が建物ユニットの下端から突出しない程小さい場合には、直接建物ユニットに設ければよい。また空調機支持部材が下端から突出する大きさである場合には、この空調機支持部材を伸縮自在にし、この空調機支持部材を縮めて建物ユニットから突出しないようにして運搬し、施工現場では伸ばして、この空調機支持部材に空調機を取り付けるようにするとよい。
後者は、建物ユニットの下端から突出するような大きな空調機や空調機の室内機を取り付けるときの建物ユニットに適している。
（作用）
【００２７】
請求項１に記載の発明では、着脱自在な蓋または開閉自在な蓋を有する開口部が床に設けられ、この開口部の下方に空調機または空調機支持部材が設けられているので、蓋を開いたり取り外した後に、床上から、室内機と室外機とが一緒になっている空調機の場合には、この空調機に配線したり、その他の仕上げを行うことができるし、空調機が室内機だけの場合には、この室内機近傍にある別の場所、例えば、外壁の外側に室外機を設け、蓋を開いたり取り外した後に、床上から、この室外機と室内機とを熱媒体管で接続したり、配線したり、その他の仕上げを行うことができる。また、空調機支持部材の場合には、床上から、この空調機支持部材に空調機や室内機を取り付けたり、熱媒体管を室外機に接続したり、その他の仕上げを行うことができる。
【００２８】
このように蓋を開いたり取り外した後に、床上から、配線や熱媒体管を接続する作業を行うことができるので、この空調機を取り付ける作業を行い易い。
更に、空調機が故障したときには、蓋を開いたり取り外した後に、床上から、故障場所を直したり、空調機を取り替えたりすることができ、作業を行い易い。
【００２９】
請求項２記載の発明では、請求項１記載の発明に係り、前記開口部が床下既設の点検用開口部または床下収納用開口部の部品を利用して構成されたものであるので、新規の設計が不要となり、設計コストが少なくなり、その結果、開口部を安価に製造できる。
【００３０】
請求項３記載の発明では、請求項１または請求項２に記載された発明に係り、前記開口部に取り付けられた蓋には、通孔が設けられ、この通孔が空気流出口または空気流入口になされているので、空調機に流入する空気や空調機から流出する空気をこの通孔から入れたり出したりすることができる。従って、別の場所に空気流出口や空気流出口を設ける必要がなく、便利である。
また、この通孔が複数の幅５ｃｍ板のスリット状または直径５ｃｍ以上の丸状であるので、蓋の上を歩いても、足の指等が通孔の中に入る危険がなく、安心して、この蓋の上を歩くことができる。
【００３１】
請求項４に記載の発明では、請求項１〜３記載の建物を構成するための建物ユニットであって、上記空調機または空調機支持部材が下端から突出しない状態に設けられているので、この空調機または空調機支持部材が設けられた建物ユニットを工場で製造し、これを施工現場に運搬しても、空調機または空調機支持部材が邪魔にならず、支障なく運搬することができる。
【発明の効果】
【００３２】
以上説明したように、請求項１に記載の発明は、着脱自在な蓋または開閉自在な蓋を有する開口部が床に設けられ、この開口部の下方に空調機または空調機支持部材が設けられているから、蓋を開いたり取り外した後に、床上から配線や熱媒体管を接続する作業を行うことができ、この空調機を取り付ける作業を行い易い。
更に、空調機が故障したときには、蓋を開いたり取り外した後に、床上から故障場所を直したり、空調機を取り替えたりすることができ、この故障箇所を直したり、空調機を取り替える作業を行い易い。
【００３３】
請求項２記載の発明は、請求項１記載の発明に係り、前記開口部が床下点検用開口部または床下収納用開口部の部品を利用して構成されたものであるから、新規の設計が不要となり、設計コストが少なくなり、その結果、安価に建物を建てたり、建物ユニットを製造することができる。
【００３４】
請求項３記載の発明は、請求項１または請求項２に記載された発明に係り、前記開口部に取り付けられた蓋には、複数の幅５ｃｍ板のスリット状または直径５ｃｍ以上の丸状の通孔が設けられ、この通孔が空気流出口または空気流入口になされているので、空調機に流入する空気や空調機から流出する空気をこの通孔から入れたり出したりすることができる。従って、別の場所に空気流出口や空気流出口を設ける必要がなく、便利であるし、蓋の上を歩いても、足の指等が通孔の中に入る危険がなく、安心して、この蓋の上を歩くことができる。
【００３５】
請求項４に記載の発明は、請求項１〜３記載の建物を構成するための建物ユニットであって、上記空調機または空調機支持部材が下端から突出しない状態に設けられているから、この空調機または空調機支持部材が設けられた建物ユニットを工場で製造し、これを施工現場に運搬しても、空調機または空調機支持部材が邪魔にならず、支障なく運搬することができる。
【発明を実施するための最良の形態】
【００３６】
以下、本発明を実施するための最良の形態を実施例で説明する。
【実施例】
【００３７】
図１〜図７は本発明の一実施例であって、図１は、ユニット建物を示す斜視図、図２は、図１や図５のＡ−Ａ線における断面図、図３は、基礎を示す斜視図、図４は、建物ユニットを示す一部切欠斜視図、図５は、空調機が取り付けられた建物ユニットを示す一部切欠斜視図、図６は、空調機支持装置を示す斜視図、図７は空調機が稼働している状態を模式的に示す断面図である。
【００３８】
図１〜図７において、Ｕはユニット建物であり、このユニット建物Ｕは、図１に示すように、基礎９の上に４個の建物ユニット１と２個の空調機が取り付けられた建物ユニットが２据え付けて１階を構成し、この建物ユニット１と空調機が取り付けられた建物ユニット２の上に、６個の建物ユニット１を据え付けて２階を構成し、この２階の建物ユニットの上に屋根パネル３を取り付けたものである。
【００３９】
基礎９は、図３に示すように、３条のコンクリート製の布基礎９１と、この３条の布基礎９１の端部を連結するコンクリート製の布基礎９２と、この布基礎９１、９２の内側の壁に取り付けたポリスチレン発泡体製の断熱板９３とからなる。
建物ユニット１は、図４に示すように、直方体の四隅に立設した４本の鋼製の四角筒状の柱１１と、この柱１１の下端部を直方体の下面の辺に沿って連結した鋼製の断面コ字形長尺体の床梁１２と、この柱１１の上端部を直方体の上面の辺に沿って連結した鋼製の断面コ字形長尺体の天井梁１３とからなる骨格を有する。
【００４０】
そして、この建物ユニット１は、この骨格の相対する長辺の床梁１２に鋼製の四角筒状の床小梁１４を差し渡し、この床小梁１４の上に木製の床根太１５を取り付け、この床根太１５の上にパーチクルボード製の床面材１６を取り付けて床を構成し、骨格の長辺の天井梁１３に木製の天井野縁１７を差し渡し、この天井野縁１７の下面に石膏ボードの天井面材１８を取り付けて天井を構成したものである。
【００４１】
なお、外壁を設ける場所には、床梁１２と天井梁１３に鋼製の断面コ字形長尺体の間柱１９を差し渡し、この間柱１９の屋外側に図示しない外壁パネルを、また、間柱の屋内側に図示しない内壁パネルをそれぞれ取り付け、この外壁パネルと内壁パネルの間に図示しないガラスウールからなる断熱材を取り付けて外壁を構成する。
【００４２】
空調機が取り付けられた建物ユニット２を、この建物ユニット１と比較すると、床小梁２４に空調機４の室内機４１が取り付けられていることが異なる。
即ち、空調機が取り付けられた建物ユニット２は、図５に示すように、直方体の四隅に立設した４本の鋼製の四角筒状の柱２１と、この柱２１の下端部を直方体の下面の辺に沿って連結した鋼製の断面コ字形長尺体の床梁２２と、この柱２１の上端部を直方体の上面の辺に沿って連結した鋼製の断面コ字形長尺体の天井梁２３とからなる骨格を有する。
【００４３】
そして、この空調機が取り付けられた建物ユニット２は、この骨格の相対する長辺の床梁２２に鋼製の四角筒状の床小梁２４を差し渡し、開口部６を設ける予定場所の両側にある２本の床小梁２４に空調機支持部材５を差し渡し、この空調機支持部材５に空調機４の室内機４１を取り付け、床小梁２４の上に木製の床根太２５を取り付け、この床根太２５の上にパーチクルボード製の床面材２６を取り付けて床を構成し、骨格の長辺の天井梁２３に木製の天井野縁２７を差し渡し、この天井野縁２７の下面に石膏ボードの天井面材２８を取り付けて天井を構成したものである。
【００４４】
この際、この開口部６を設ける場所の床面材２６は、取り付ける前に矩形状に切り取り、この床面材２６を床根太２５の上に取り付ける。その後、この切り取った場所に開閉自在な蓋７を有する床下点検用開口部の部品を取り付けて開口部６とする。
外壁を設ける場所には、床梁２２と天井梁２３に鋼製の断面コ字形長尺体の間柱２９を差し渡し、この間柱２９の屋外側に図示しない外壁パネルを、また、間柱の屋内側に図示しない内壁パネルをそれぞれ取り付け、この外壁パネルと内壁パネルの間に図示しないガラスウールからなる断熱材を取り付けて外壁を構成する。
【００４５】
空調機４は、室内機４１と、室外機４２と、この間を繋ぐ熱媒体管４３とからなる。
空調機支持部材５は、図６に示すように、コ字形に折曲された本体５１と、この両側から略水平に延設された取付片５２とからなり、この両側の取付片５２には、それぞれ、通孔５３を３個ずつ設けている。
【００４６】
この空調機支持部材５の取付構造は、この両側の取付片５２を開口部６の両側に存在する２本の床小梁２４に架け、通孔５３から床小梁２４にビスを螺入して、この空調機支持部材５を固定し取り付けたものである。この空調機支持部材５の下端は、建物ユニットの下端にある床梁２２の下端より高い位置になるようになっている。
この空調機支持部材５は、この中に空調機４の室内機４１を入れられて取り付けるものであるが、この空調機４の室内機４１を工場で取り付けてもよいし、施工現場で取り付けてもよい。
【００４７】
この空調機４の室内機４１は、開口部６の下方に位置し、この開口部６に取り付けられている蓋７を開けて床上から簡単に室内機４１を取り付けたり取り外すことかできるようになっている。
屋根パネル３は、従来の屋根パネルと同じ構造をしているので、説明を省略する。
【００４８】
次に、このユニット建物Ｕの施工方法および空調機が取り付けられた建物ユニット２の作用について説明する。
工場で、建物ユニット１、空調機が取り付けられた建物ユニット２、屋根パネル３を製造する。
この際、空調機が取り付けられた建物ユニット２の空調機支持部材５に空調機５の室内機５１を取り付ける。
【００４９】
そして、この製造された建物ユニット１、空調機の室内機が取り付けられた建物ユニット２、屋根パネル３や空調機４の室外機４２等を施工現場に運搬する。
この際、空調機支持部材５は建物ユニットの下端にある床梁２２より高い位置にあるので、空調機が取り付けられた建物ユニット２をトラックに積み込んだり、フークリフトで持ち上げるとき等に、この空調機支持部材５が邪魔にならない。
【００５０】
施工現場では、予め設けられている基礎９の上に建物ユニット１や空調機が取り付けられた建物ユニット２を据え付けて１階を構成する。
この建物ユニト１や空調機の室内機が取り付けられた建物ユニット２を据え付ける方法は、両側の布基礎９１に建物ユニット１や空調機が取り付けられた建物ユニット２を架け渡し、柱１２、２２の下端面に設けられている図示しない通孔の中に、布基礎９１に設けられている図示しないアンカーボルトを挿入し、このアンカーボルトに図示しないナットを螺入して、柱１２、２２を固定する。
この１階の建物ユニット１や空調機が取り付けられている建物ユニット２の上に建物ユニットを据え付けて２階を構成する。
【００５１】
この２階の建物ユニット１の上に屋根パネル３を取り付ける。
また、空調機４の室外機４２を空調機が取り付けられた建物ユニット２の外壁の外側に据え付ける
その後、蓋７を開いて、床上から、この空調機４の室外機４２と空調機が取り付けられている建物ユニット２の空調機４の室内機４１とを、図７に示すように、熱媒体管４３で連結したり、配線したりして、空調機４が深夜電力で稼働するようにしたり、図示しない部屋にスイッチを設ける。
【００５２】
このように、蓋７を開いた後に、床上から、配線や空調機４の室内機４１と室外機４２との間に熱媒体管４３を接続する作業を行うことができるので、この空調機４を取り付け作業は容易である。
その後、種々な仕上げを行うとユニット建物Ｕが完成する。
このようにして完成したユニット建物Ｕでは、空調機４を稼働させたいときには、部屋に設けられているスイッチを入れる。
すると、夜間に、図７に示すように、床下に、熱風または冷風が吹き出て、この熱風や冷風によって、床下が温められたり冷やされる。
【００５３】
この床下が温められたり冷やされる熱は、布基礎９１、９２の内側に取り付けられた断熱板９３によって、屋外に逃げ難く、いつまでも床下が温められたり冷やされた状態になる。
この温められたり冷やされた床下の熱によって、部屋が１日中空調される。
このようにして空調機４で冷暖房することができるので、このユニット建物Ｕは居住性のよい建物である。
【００５４】
このようにして長期間経過すると空調機４の室内機４１が故障することがある。
このように、空調機４の室内機４１が故障したときには、蓋７を開いて床上から、故障場所を直したり、空調機４の室内機４１を取り替えたりする。このように、床上から、故障箇所を直したり、空調機４を取り替えることができるので、作業が容易である。
【産業上の利用可能性】
【００５５】
この実施例では、鋼製の建物ユニットについて説明したが、その他の鋼製の建物ユニットであってもよいし、木製の建物ユニットでもよい。
更に、建物ユニットの替わりに建物、例えば、木造の建物でもよいし、鉄筋の建物でもよい。また、戸建ての建物でもよいし、集合住宅でもよい。
また、深夜電力を利用して床下を温めたり冷やすことによって部屋を空調することを示したが、この際、床下に保温材を設けていて温めたり冷やす熱を多量に蓄えるようにしてもよい。
また、床下を温めたり冷やしたりすることなく、蓋に通孔を設けたり、部屋の床、壁、天井等に通孔を設けて、空調機で温めた空気や冷やした空気をこの通孔を通して部屋に直接入れて空調するようにしてもよい。
【００５６】
また、床に設けられた開口部に点検用開口部の部品を利用したが、この開口部に床下収納用開口部の部品を利用してもよいし、開口部に新しい部材を設けてもよい。
また、この開口部に設ける蓋にガラリのようなスリット状または丸状の通孔を設け、この通孔を空気流入口や空気流出口にしてもよい。
また、空調機の室内機を工場で取り付けたが、工場で空調機の室内機を取り付けずに、空調機支持部材のみを取り付けて、施工現場に運搬し、施工現場でこの空調機支持部材の中に空調機の室内機を取り付けるようにしてもよい。
【図面の簡単な説明】
【００５７】
【図１】実施例のユニット建物を示す斜視図である。
【図２】図１や図５のＡ−Ａ線における断面図である。
【図３】実施例の基礎を示す斜視図である。
【図４】実施例の建物ユニットを示す一部切欠斜視図である。
【図５】実施例の空調機が取り付けられた建物ユニットを示す一部切欠斜視図である。
【図６】実施例の空調機支持装置を示す斜視図である。
【図７】実施例の空調機が稼働している状態を模式的に示す断面図である。
【符号の説明】
【００５８】
Ｕ              ユニット建物
１              建物ユニット
２              空調機が取り付けられた建物ユニット
４              空調機
４１            室内機
４２            室外機
５              空調機支持部材
６              開口部
７              蓋
【図１】
2005336736.tif 000003
【図２】
2005336736.tif 000004
【図３】
2005336736.tif 000005
【図４】
2005336736.tif 000006
【図５】
2005336736.tif 000007
【図６】
2005336736.tif 000008
【図７】
2005336736.tif 000009